(57)【要約】【課題】健康状態を把握できて、携帯通信装置の付加価値を向上させること。【解決手段】内蔵、外部からの挿し込み、伝送線で接続、または短距離無線送信などの方式で、モジュール化された体内脂肪検査装置を携帯電話、パーソナル・ディジタル・アシスタント（ＰＤＡ）、ミニコンピュータ、ノートブック・コンピュータなどと組合わせ、随時に被検査者の体内脂肪信号を探知し、携帯通信装置に表示し、記憶し、警報を発したり、さらに遠隔の医療機構にも送信することができる。【選択図】図１
0003136007.tif 000002
【実用新案登録請求の範囲】
【請求項１】
体内脂肪検査モジュールを組み込んだ携帯通信装置において、
前記体内脂肪検査モジュールは内蔵方式で前記携帯通信装置に組み込まれ、人体に微弱な電流を通して両手の間の抵抗値を測定し、
還元分析して人体内の脂肪含有率を算定し、
人体内の脂肪含有率の算定結果を前記携帯通信装置に表示し、記録し、ストアし、リストし、警報を発したり、または遠隔地に信号を発送することを特徴とする、
体内脂肪検査モジュールを組み込んだ携帯通信装置。
【請求項２】
体内脂肪検査モジュールを組み込んだ携帯通信装置において、
前記体内脂肪検査モジュールは、外部から挿し込む方式で前記携帯通信装置に組み込まれ、人体に微弱な電流を通して両手の間の抵抗値を測定し、還元分析して人体内の脂肪含有率を算定し、
人体内の脂肪含有率の算定結果を前記携帯通信装置に表示し、記録し、ストアし、リストし、警報を発したり、または遠隔地に信号を発送することを特徴とする、
体内脂肪検査モジュールを組み込んだ携帯通信装置。
【請求項３】
体内脂肪検査モジュールを組み込んだ携帯通信装置において、
前記体内脂肪検査モジュールは伝送線で接続する方式で前記携帯通信装置に組み込まれ、人体に微弱な電流を通して両手の間の抵抗値を測定し、還元分析して人体内の脂肪含有率を算定し、
人体内の脂肪含有率の算定結果を前記携帯通信装置に表示し、記録し、ストアし、リストし、警報を発したり、または遠隔地に信号を発送することを特徴とする、体内脂肪検査モジュールを組み込んだ携帯通信装置。
【請求項４】
体内脂肪検査モジュールを組み込んだ携帯通信装置において、
前記体内脂肪検査モジュールは無線送信方式で前記携帯通信装置に組み込まれ、人体に微弱な電流を通して両手の間の抵抗値を測定し、還元分析して人体内の脂肪含有率を算定し、
人体内の脂肪含有率の算定結果を前記携帯通信装置に表示し、記録し、ストアし、リストし、警報を発したり、または遠隔地に信号を発送することを特徴とする、
体内脂肪検査モジュールを組み込んだ携帯通信装置。
【請求項５】
前記体内脂肪検査モジュールには、被検査者の両手の指を押圧させる、２つの測定キーを具備することを特徴とする、請求項１、２、３、４の何れかに記載の携帯通信装置。
【請求項６】
前記携帯通信装置は携帯電話、パーソナル・ディジタル・アシスタント（ＰＤＡ）、ミニコンピュータ、ノートブック・コンピュータの何れかひとつであることを特徴とする、請求項１、２、３、４に記載の携帯通信装置。
【請求項７】
前記２つの測定キーは、２つの測定用端子からなることを特徴とする、請求項５に記載の携帯通信装置。
【請求項８】
前記２つの測定キーは、２枚の導電片であることを特徴とする、請求項５に記載の携帯通信装置。
【請求項９】
前記２つの測定端子は、前記携帯通信装置本体から伸出、または引き込み自在であることを特徴とする、請求項７に記載の携帯通信装置。
【請求項１０】
前記携帯通信装置には、体重、基礎代謝率、摂取した飲食のカロリー、運動による消費カロリー、及びその他の身体や体重の保持に関する情報を含んだソフト・ウェアを組み込めることを特徴とする、請求項６に記載の携帯通信装置。
【請求項１１】
前記無線送信方式は赤外線、ブルートウース（登録商標）、ＩＥＥＥ８０２・１１、或いはその他の無線技術を駆使した方式であることを特徴とする、請求項４に記載の携帯通信装置。
【考案の詳細な説明】
【技術分野】
【０００１】
本考案は体内脂肪検査モジュールを組み込んだ携帯通信装置に関するもので、特に、体内脂肪検査モジュールを組み込むことにより該装置の使用者はいつ、如何なる場所においても、自分の体内の脂肪状態を把握でき、身体の健康の維持に寄与し、また携帯通信装置の付加価値も向上する、携帯通信装置に関するものである。
【背景技術】
【０００２】
科学技術の進歩に伴い、携帯通信装置の発展も目覚しいものがある。
その機能は単一の簡易機能から、複雑な多機能に移り、例えばインターネットとの連結、ディジタル撮影、レコーディング等の幾多の応用分野で活用されている。
今や携帯電話は殆ど１人１機所有するまでに至った。
携帯通信装置の応用をさらに拡大することは今後の重要な課題となる。
【０００３】
その一方で、既に人体の体温、血圧、脈拍、血糖、血中酸素の体表計測が広く実用化しているが、さらに色々な医療機器、例えば携帯生理機能感測や監視機器の機能を多様化して、センサーから得たデータを携帯通信装置に処理させ、これを表示、アラーミング、記憶、伝送させることができたら、如何ばかりが人類に貢献できるであろうかどうか、計り知れないものがある。
【０００４】
バイオチップ（ｂｉｏｃｈｉｐ）で人体生理機能を探知し、人体表面に接触、または皮下に植入されたバイオチップで人体の生理変化や疾病の有無を探知することは、現在の生化学技術の進歩から見て難しいものではない。
さらにマイクロ電子技術やナノ技術を駆使して、人体表面に接触、皮下に植入、乃至消化器系統に呑み込んだバイオチップと協力して、一層精密に各種人体機能のデータを探索することも可能である。
【０００５】
このような人体機能検査装置を携帯通信装置と組合わせて生命の各種情報を収集して医療保健の目的を達成することは、今後の重要な理想である。
【０００６】
本願の考案者は過去において、上述の装置に関し幾つかの発明や考案を台湾にて提案してきた。例を挙げれば
１．「携帯電話と組合わせた生理機能探知装置」（台湾００４５４０２号）。
２．「生命感測儀器と結合したパーソナル・ディジタル・アシスタントの伝送インターフェース」（台湾００４６２０００号）。
３．「携帯電話と結合した人体機能信号処理装置」（台湾２００４１２７７７号）。
４．「イヤホン式生命機能探知装置」（台湾Ｍ２４１００２号）。
５．「生命情報無線伝送系統」（台湾１２４９１２２号）。
６．「耳温感知器を含んだ携帯通信装置」（台湾Ｍ２９２２２１号）。
７．「携帯通信装置と結合した耳温感知器」（台湾Ｍ２９６０２８号）。
８．「携帯通信器に装置された人体機能検知モジュール」（台湾Ｍ３０９２９９号）などがある。
【０００７】
上述した技術にはなお改善の余知がある。
本願は以上の点に鑑みて成されたものである。
【考案の開示】
【考案が解決しようとする課題】
【０００８】
本考案の目的は、体内脂肪の信号を感知、または監視し、携帯通信装置で表示、記録し、ストアし、リストし、警報を発し、または遠隔地に信号を発送して、使用者が随時に自分の肥満係数信号を受信して、健康状態を把握できる、体内脂肪検査モジュールを組み込んだ携帯通信装置を提供することにある。
【０００９】
また、本考案の目的は、携帯通信装置に内蔵されたソフト・ウェアから使用者に各種飲食の情報を提供し、その飲食習慣を改善し、以って、携帯通信装置の付加価値を向上できる、体内脂肪検査モジュールを組み込んだ携帯通信装置を提供することにある。
【００１０】
また、本考案の目的は、所要のデータを随時探知、または監視でき、その設備コストは安く、操作は簡単、かつ便利、サイズが小さく、携帯を容易にして、適用範囲を広くできる、体内脂肪検査モジュールを組み込んだ携帯通信装置を提供することにある。
【課題を解決するための手段】
【００１１】
上述した目的を達成するため、本考案の提供した体内脂肪検査モジュールを組み込んだ携帯通信装置は、体内脂肪検査モジュールは内蔵、外部からの挿入、伝送線で接続、無線送信などの方式で携帯通信装置に組み込まれ、該モジュールが測定した人体の脂肪含有率を携帯通信装置に表示し、記録し、ストアし、リストし、警報を発したり、または遠隔地に発送するようにした。
【００１２】
すなわち、本願の第１考案は、体内脂肪検査モジュールを組み込んだ携帯通信装置において、前記体内脂肪検査モジュールは内蔵方式で前記携帯通信装置に組み込まれ、人体に微弱な電流を通して両手の間の抵抗値を測定し、還元分析して人体内の脂肪含有率を算定し、人体内の脂肪含有率の算定結果を前記携帯通信装置に表示し、記録し、ストアし、リストし、警報を発したり、または遠隔地に信号を発送することを特徴とする、体内脂肪検査モジュールを組み込んだ携帯通信装置を提供する。
本願の第２考案は、体内脂肪検査モジュールを組み込んだ携帯通信装置において、前記体内脂肪検査モジュールは、外部から挿し込む方式で前記携帯通信装置に組み込まれ、人体に微弱な電流を通して両手の間の抵抗値を測定し、還元分析して人体内の脂肪含有率を算定し、人体内の脂肪含有率の算定結果を前記携帯通信装置に表示し、記録し、ストアし、リストし、警報を発したり、または遠隔地に信号を発送することを特徴とする、体内脂肪検査モジュールを組み込んだ携帯通信装置を提供する。
本願の第３考案は、体内脂肪検査モジュールを組み込んだ携帯通信装置において、前記体内脂肪検査モジュールは伝送線で接続する方式で前記携帯通信装置に組み込まれ、人体に微弱な電流を通して両手の間の抵抗値を測定し、還元分析して人体内の脂肪含有率を算定し、人体内の脂肪含有率の算定結果を前記携帯通信装置に表示し、記録し、ストアし、リストし、警報を発したり、または遠隔地に信号を発送することを特徴とする、体内脂肪検査モジュールを組み込んだ携帯通信装置を提供する。
本願の第４考案は、体内脂肪検査モジュールを組み込んだ携帯通信装置において、前記体内脂肪検査モジュールは無線送信方式で前記携帯通信装置に組み込まれ、人体に微弱な電流を通して両手の間の抵抗値を測定し、還元分析して人体内の脂肪含有率を算定し、人体内の脂肪含有率の算定結果を前記携帯通信装置に表示し、記録し、ストアし、リストし、警報を発したり、または遠隔地に信号を発送することを特徴とする、体内脂肪検査モジュールを組み込んだ携帯通信装置を提供する。
本願の第５考案は、前記体内脂肪検査モジュールには、被検査者の両手の指を押圧させる、２つの測定キーを具備することを特徴とする、前記第１、２、３、４考案の何れかに記載の携帯通信装置を提供する。
本願の第６考案は、前記携帯通信装置は携帯電話、パーソナル・ディジタル・アシスタント（ＰＤＡ）、ミニコンピュータ、ノートブック・コンピュータの何れかひとつであることを特徴とする前記第１、２、３、４考案の何れかに記載の携帯通信装置を提供する。
本願の第７考案は、前記２つの測定キーは、２つの測定用端子からなることを特徴とする、前記第５考案に記載の携帯通信装置を提供する。
本願の第８考案は、前記２つの測定キーは、２枚の導電片であることを特徴とする、前記第５考案に記載の携帯通信装置を提供する。
本願の第９考案は、前記２つの測定端子は、前記携帯通信装置本体から伸出、または引き込み自在であることを特徴とする、前記第７考案に記載の携帯通信装置を提供する。
本願の第１０考案は、前記携帯通信装置には、体重、基礎代謝率、摂取した飲食のカロリー、運動による消費カロリー、及びその他の身体や体重の保持に関する情報を含んだソフト・ウェアを組み込めることを特徴とする、前記第６考案に記載の携帯通信装置を提供する。
本願の第１１考案は、前記無線送信方式は赤外線、ブルートウース（登録商標）、ＩＥＥＥ８０２・１１、或いはその他の無線技術を駆使した方式であることを特徴とする、前記第４考案に記載の携帯通信装置を提供する。
【考案の効果】
【００１３】
本考案に係る体内脂肪検査モジュールを組み込んだ携帯通信装置は、従来装置と比べてつぎのような効果が得られる。
【００１４】
（１）体内脂肪検査モジュールで、体内脂肪の含有率を監視、探知し、これを携帯通信装置で表示、記録、ストア、リスト、警報、または遠隔地に送信できるので、使用者（被検査者）の肥満係数や健康状態を常時把握できる。
【００１５】
（２）携帯通信装置内には、使用者（被検査者）の健康状態や飲食に関する基本情報を含んだ、ソフト・ウェアを組み込んでいるので、飲食習慣の改善にも貢献でき、その付加価値は高い。
【００１６】
（３）本装置は所要のデータを随時監視、または探知できて、その設備コストが安く、操作が簡単かつ便利で、サイズが小さく携帯に容易で、遠隔地にも送信できてその適用範囲は広い。
【考案を実施するための最良の形態】
【００１７】
図１は本考案の構成図である。
本考案の体内脂肪検査モジュールを組み込んだ携帯通信装置は、携帯通信装置１とこれに組合された体内脂肪検査モジュール１１からなっていて、随時に体内脂肪信号２を監視、又は探知し、携帯通信装置１を通してこれを表示し、記録し、ストアし、リストし、警報を発し、または遠隔の医療機構３に伝送する。
【００１８】
携帯通信装置１は携帯電話、パーソナル・ディジタル・アシスタント（ＰＤＡ）、ミニコンピュータ、ノートブック・コンピュータなどの電子機器である。
携帯通信装置１の内部には、体重、基礎代謝率、摂取した飲食のカロリー、運動による消費カロリー、及びその他の身体や体重の保持に関する情報を含んだソフト・ウェアを組み込めるのである。
【００１９】
体内脂肪検査モジュール１１は水には電導性があるが、脂肪には電導性がないという、生化学における電気抵抗原理を利用して、人体に微弱な電流を通して両手の間の抵抗値を測定し、還元分析して人体内の脂肪含有率を算定するのである。
【００２０】
本考案の装置は上記の機能の外、さらに前記飲食に関するデータを利用して、健康増進の終極の目的を達成できるものである。
【００２１】
図２は本考案の第１実施形態図である。
本図によれば、体内脂肪検査モジュール１１は、携帯電話１０に内蔵されている。使用者（被検査者）が同時に両手４の指４１で測定キー１１１を押圧することにより、携帯電話１０は、体内脂肪検査モジュール１１が探知した、体内脂肪信号を表示し、記録し、ストアし、リストし、警報を発し、或いは遠隔地に送信したりするのである。
【００２２】
図３は本考案の第２実施形態図である。
本図によれば、体内脂肪検査モジュール１１は、携帯電話１０に外部から挿しこんでいる。
使用者（被検査者）が同時に両手４の指４１で測定キー１１１を押圧することにより、携帯電話１０は、体内脂肪検査モジュール１１が探知した、体内脂肪信号を表示し、記録し、ストアし、リストし、警報を発し、或いは遠隔地に送信したりするのである。
【００２３】
図４は本考案の第３実施形態図である。
本図によれば、体内脂肪検査モジュール１１は、携帯電話１０に伝送線１２で接続されている。使用者（被検査者）が同時に両手４の指４１で測定キー１１１を押圧することにより、携帯電話１０は、体内脂肪検査モジュール１１が探知した、体内脂肪信号を表示し、記録し、ストアし、リストし、警報を発し、或いは遠隔地に送信したりするのである。
【００２４】
図５は本考案の第４実施形態図である。
本図によれば、体内脂肪検査モジュール１１は、携帯電話１０に無線送信方式（例えば赤外線、ブルートウース（登録商標）、ＩＥＥＥ８０２，１１など）で連絡されている。
使用者（被検査者）が同時に両手４の指４１で測定キー１１１を押圧することにより、携帯電話１０は、体内脂肪検査モジュール１１が探知した、体内脂肪信号を表示し、記録し、ストアし、リストし、警報を発し、或いは遠隔地に送信したりするのである。
【００２５】
図６は本考案の第５実施形態図である。本図によれば、この実施例では測定キー１１１は測定用端子１１２（または導電片）に置き換えられ、使用者（被検査者）が同時に両手４の指４１で測定用端子１１２を押圧することにより、携帯電話１０は、体内脂肪検査モジュール１１を作動して、体内脂肪の状態を監視、探知して信号を発するのである。またこの測定用端子１１２は携帯電話１０の本体から伸出、または引き込み自在に構成されている。
【００２６】
以上の詳細な説明は、本考案の実施可能な実施例についての具体的な説明であり、これらの実施例は本考案の請求範囲を制限するものではなく、凡そ本考案の技術思想を逸脱せずなされた同等の効果の実施、または変更は、全て本考案に含まれるものである。
【図面の簡単な説明】
【００２７】
【図１】図１は本考案に係る体内脂肪検査モジュールを組み込んだ携帯通信装置の構成を示すブロック図である。
【図２】図２は本考案の第１実施形態図に係る体内脂肪検査モジュールを組み込んだ携帯通信装置の説明図である。
【図３】図は本考案の第２実施形態図に係る体内脂肪検査モジュールを組み込んだ携帯通信装置の説明図である。
【図４】図は本考案の第３実施形態図に係る体内脂肪検査モジュールを組み込んだ携帯通信装置の説明図である。
【図５】図は本考案の第４実施形態図に係る体内脂肪検査モジュールを組み込んだ携帯通信装置の説明図である。
【図６】図は本考案の第５実施形態図に係る体内脂肪検査モジュールを組み込んだ携帯通信装置の説明図である。
【符号の説明】
【００２８】
１・・・・・・携帯通信装置
１０・・・・・携帯電話
１１・・・・・体内脂肪検査モジュール
１２・・・・・伝送線
１１１・・・・測定キー
１１２・・・・測定用端子（導電片）
２・・・・・・体内脂肪信号
３・・・・・・遠隔地の医療機構
４・・・・・・手
４１・・・・・手の指
【図１】
0003136007.tif 000003
【図２】
0003136007.tif 000004
【図３】
0003136007.tif 000005
【図４】
0003136007.tif 000006
【図５】
0003136007.tif 000007
【図６】
0003136007.tif 000008